【手続補正書】
【提出日】平成18年10月27日(2006.10.27)
【手続補正１】
【補正対象書類名】明細書
【補正対象項目名】全文
【補正方法】変更
【補正の内容】
【書類名】明細書
【発明の名称】前後表記付吸収性物品
【特許請求の範囲】
【請求項１】体液を吸収して保持する吸収要素を備え、外側をカバーするカバー手段と組み合わせて使用され、かつ前記カバー手段に対するズレ止め手段を前記カバー手段と接する部位に備えた吸収性物品において、
前記ズレ止め手段が前後表記の形状に形成されているか、あるいは前記ズレ止め手段に前後表記が付されていることを特徴とする、前後表記付吸収性物品。
【請求項２】前記ズレ止め手段が、前後表記の形状をなした粘着材層からなるものとされた、請求項１記載の吸収性物品。
【請求項３】前記粘着材層上に、前後表記が付された剥離シートが貼り付けられた、請求項２記載の吸収性物品。
【請求項４】前記ズレ止め手段として、前記カバー手段自体または対応する要素に対して係合する係合要素を有し、この係合要素に前後表記を付した、請求項１記載の吸収性物品。
【請求項５】前記前後表記として、方向指示マークとともに、そのマーク内及びその近傍を含む領域に前後判別文字を付した、請求項１〜４のいずれか１項に記載の吸収性物品。
【請求項６】製品状態において３つ折り以上に折り畳まれた形態とされるものであって、折り畳まれた状態で少なくとも上面となる位置および下面となる位置に少なくとも一つの完全な前後表記がそれぞれ位置するように、前記ズレ止め手段を設けた、請求項１〜５のいずれか１項に記載の吸収性物品。
【発明の詳細な説明】
【０００１】
【発明の属する技術分野】
本発明は、カバー手段（おむつカバー、使い捨ておむつ、使い捨てパンツ、失禁パンツ、衣類）等と組み合わせて使用される、装着ミスを起こしにくい体液吸収性物品（使い捨ての、生理用ナプキン、失禁パッド、尿パッド等）に関する。
【０００２】
【従来の技術】
従来より、かかる吸収性物品は漏れを防止することが要求されており、女性が使用する際は臀部側に大きい吸収層、男性が使用する際は腹側に大きい吸収層をあてがう方法が知られている。
【０００３】
このようなカバー手段と組み合わせて使用される吸収性物品、特に尿パッド（または失禁パッド）はその形が前後対象に近いため前後が分かり難く、装着ミスを起こし易かった。そのため従来から、装着時におけるカバー手段に対するズレを防止する目的で製品外面に付けられているズレ防止粘着材層の剥離シートに前後表記を印刷するという対策が広く採用されていた。
【０００４】
【発明が解決しようとする課題】
しかし、使用時はこの剥離シートをはがして使用するため、結局のところ装着直前において前後がわからなくなってしまう虞があった。
【０００５】
そこで、本発明の主たる課題は、装着直前においても一見して前後が判別可能で、装着ミスを起こしにくい吸収性物品を提供することにある。
【０００６】
【課題を解決するための手段】
上記課題を解決した本発明は、次記のとおりである。
＜請求項１記載の発明＞
体液を吸収して保持する吸収要素を備え、外側をカバーするカバー手段と組み合わせて使用され、かつ前記カバー手段に対するズレ止め手段を前記カバー手段と接する部位に備えた吸収性物品において、
前記ズレ止め手段が前後表記の形状に形成されているか、あるいは前記ズレ止め手段に前後表記が付されていることを特徴とする、前後表記付吸収性物品。
【０００７】
（作用効果）
このように、ズレ止め手段が前後表記の形状に形成されているか、あるいは前記ズレ止め手段に前後表記が付されていることにより、装着直前においても一見して前後が判別可能で、装着ミスを起こしにくくなる。
【０００８】
＜請求項２記載の発明＞
前記ズレ止め手段が、前後表記の形状をなした粘着材層からなるものとされた、請求項１記載の吸収性物品。
【０００９】
（作用効果）
本請求項２記載の発明は、ズレ止め手段として粘着材層を設ける場合に、その粘着材層自体を前後表記の形状（文字形状・マーク形状等）にしたものであり、これによって、装着直前においても一見して前後が判別可能で、装着ミスを起こしにくくなる。
【００１０】
＜請求項３記載の発明＞
前記粘着材層上に、前後表記が付された剥離シートが貼り付けられた、請求項２記載の吸収性物品。
【００１１】
（作用効果）
ズレ防止手段として粘着材層を備える場合、一般に、製品状態ではこれに剥離シートを貼り付けておき、使用時においては剥離シートを剥がして粘着材層を露出させ、これをカバー手段内面に粘着させる。よって、このように剥離シートにも外面側から視認可能なように前後表記を付すことによって、剥離シートの剥離前においては剥離シートの前後表記により、また剥離後には粘着材層により形成された前後表記により、一見して前後を判別することができるようになる。
【００１２】
＜請求項４記載の発明＞
前記ズレ止め手段として、前記カバー手段自体または対応する要素に対して係合する係合要素を有し、この係合要素に前後表記を付した、請求項１記載の吸収性物品。
【００１３】
（作用効果）
この種のカバー手段と組み合わせて使用される吸収性物品においては、例えば吸収性物品及びカバー手段のいずれか一方にフック要素を設け、必要に応じて他方にフック受け要素を設けてズレ止めを行う場合がある。本請求項４記載の発明は、このような場合に当該吸収性物品側に取り付ける係合要素に前後表記を付したものであり、これによって、装着直前においても一見して前後が判別可能で、装着ミスを起こしにくくなる。
【００１４】
＜請求項５記載の発明＞
前記前後表記として、方向指示マークとともに、そのマーク内及びその近傍を含む領域に前後判別文字を付した、請求項１〜４のいずれか１項に記載の吸収性物品。
【００１５】
（作用効果）
矢印や三角形等の方向指示マークは方向を直感的に理解し易く、これと「前」や「後」のように前後を区別するための判別文字が組み合わされることにより、より判り易い前後表記となる。なお、かかる判別文字は９ポイント以上の大きさで付されていると、高齢者であっても容易に読み取ることができるようになるので好ましい。
【００１６】
＜請求項６記載の発明＞
製品状態において３つ折り以上に折り畳まれた形態とされるものであって、折り畳まれた状態で少なくとも上面となる位置および下面となる位置に少なくとも一つの完全な前後表記がそれぞれ位置するように、前記ズレ止め手段を設けた、請求項１〜５のいずれか１項に記載の吸収性物品。
【００１７】
（作用効果）
本発明が対象とするようなカバー手段と組み合わされて使用される吸収性物品は、包装のコンパクト化のために、３つ折り以上に小さく折り畳まれるのが一般的である。しかるに、従来の製品では折り畳まれていると、前後表記の一部または全部が隠れてしまったり、上面または下面の一方側にしか前後表記がない状態となるものしかなかった。そのため、製品使用者は、折り畳まれた状態の製品を一見しただけでは、前後表記を完全に読み取れなかったり、前後表記が有る面を探したりする苦労があった。
【００１８】
これに対して本請求項６記載の発明によれば、畳まれた状態で上面となる位置および下面となる位置に少なくとも一つの完全な前後表記がそれぞれ位置するようにズレ止め手段が設けられているため、製品使用者は、折り畳まれた状態の製品を一見しただけでもその前後を容易に判別することができるようになる。
【００１９】
【発明の実施の形態】
以下、本発明の実施の形態について尿パッドの例を引いて説明するが、本発明は「外側をカバーするカバー手段と組み合わせて使用される」ものであれば他の吸収性物品にも適用可能である。
（尿パッドへの応用例）
図１〜図３は、尿パッド例の展開状態の斜視図、およびその要部縦断面図をそれぞれ示しており、この例は、透液性トップシート１と不透液性バックシート２と、これらシート１，２の間に挟まれた吸収体３（吸収要素）とを主体として構成されている。
【００２０】
不透液性バックシート２は、ポリエチレンフィルム等からなり、縦方向の一方側部分の両側部に脚周りに沿う曲線部２０，２０がそれぞれ形成されたものであり、本例では、この不透液性バックシート２がカバー手段の内面と接する外装シートを構成している。吸収体３は、高吸収性ポリマー粒子を含む綿状パルプ３０を主体とし、これをティッシュペーパー等３１により包装してなるものであり、不透液性バックシート２を若干スケールダウンした形状をなしている。また、透液性トップシート１は、不織布等からなり、その幅は吸収体３と略同じサイズとされているものの、その縦方向両端部は吸収体３よりも外側に延在しており、これら延在部においてホットメルト接着剤等により不透液性バックシート２の内面に固定されている。
【００２１】
また、本例の尿パッドでは、横漏れを防止するための脚周り起立カフス４，４が両側部にそれぞれ形成されている。この起立カフス４，４を形成するカフスシート４０，４０は不織布等からなり、製品縦方向長さに等しい長さを有し、脚周り曲線部２０，２０と対応する縦方向中間部においては、幅方向一端部が透液性トップシート１側部および不透液性バックシート２側部に跨って固定（この固定部分を図２に４２として示した）されるとともに、他端部は非固定の自由端部４１とされ、さらにこの自由端部４１はシート４０が折り返された二重構造となっており、折り返し内面間には、幅方向に複数本の糸ゴムＧ，Ｇ…等の弾性伸縮部材が伸張下に配置固定されている。一方、カフスシート４０の縦方向両端部においては、図３に示すように自由端部４１に連続する部分５１も折り畳まれて透液性トップシート１に対して固定される。かくして、伸縮部材Ｇ，Ｇ…の収縮作用により、脚周りに沿う自由端部４１が固定部分４２に対して起立される。またこの収縮作用によって製品が身体に沿う舟形状に丸められる。
【００２２】
（第１の形態）
さて、かかる尿パッドに対して本発明を適用する場合、例えば図４に示すように、外装シートたる不透液性バックシート２の外面に、ズレ止め用の粘着剤を適宜の前後表記の形状（文字形状・マーク形状等）に塗布して、前後表記１０，１０…を形成する。本発明における粘着剤としてはホットメルト接着剤が有利に用いられる。ホットメルト接着剤としては、スチレン−ブタジエン−スチレン系共重合体や、スチレン−イソプレン−スチレン系共重合体といった合成ゴム系、あるいはプロピレン−ブテン共重合体のようなオレフィン系のものを用いることができる。また通常の場合、粘着剤部分の色とその周囲部分（外装シート）との色を異ならしめるため粘着剤に着色剤を含有させる。この着色剤としては銅フタロシアニン系染料、キサンテン系染料等を好適に使用することができる。かくして、粘着材層がズレ止め機能と前後表記機能とを兼備することとなり、装着直前においても一見して前後が判別可能で、装着ミスを起こしにくくなる。
【００２３】
望ましい前後表記１０の色としては、周囲の外面（本例の場合外装シート２）の色との色差ΔＥ*ａｂ（周知のように、ΔＥ*ａｂ＝（Δａ2＋Δｂ2＋ΔＬ2）1/2 である）が２５より大きく且つ１００未満の範囲、より好適には３５〜７５の範囲にある色、すなわち同系色であるが容易に読み取れる程度の差がある色を選択するのが望ましい。また、これら前後表記１０およびその周囲外面の色がＬ*ａ*ｂ*表色系でＬ*≧２５の色であると全体的に暗くならない。ただし、両色ともにＬ*値が７０以上の明るい色の場合などにおいては、明暗の差が少ないと見難くなることもあるので、前後表記１０およびその周囲外面間におけるＬ*値の差ΔＬ*は、１０以上であるのが望ましい。さらにＬ*ａ*ｂ*表色系でａ*＜０且つｂ*＜０の色、すなわち緑と青との間の色は落ち着きがあり目に優しいとともに、清涼感・清潔感を想起させることができるため好ましい。特に、これら前後表記１０およびその周囲外面の色としては、吸収性物品として好ましくない色、例えば排泄物や血液を連想させる（または見間違える）ような「黄色系、茶色系」や「赤（特に鮮明な赤）」は避けるようにするのが望ましい。
【００２４】
本発明の前後表記１０の形態としては各種考えられるが、見易さや汎用性等の点では、図４及び図５に示すように矢印等の方向指示マーク１０Ａとともに、マーク１０Ａ内（矢印の近傍でも良い）に前後判別文字１０Ｂを併用した例を提案する。この場合、判別文字のサイズは、９ポイント以上、特に好適には１７ポイント以上にするのが好ましい。
【００２５】
このように、前後の判別のための表記として「前」「後」「腹」「尻」等の文字を印刷するとともに、直感的な方向理解のために矢印マークを付すことによって、より前後の判別が容易になる。また本発明における前後の判別のための表記として、図５に示すように前後の両表記を付しても良いが、図４に示すように前後いずれか一方の表記のみ（図示例は前のみ）を付すだけでも足りる。特に男女で前後が反対となる男女兼用タイプ（通常、男性の場合に脚周り曲線部２０，２０を境にしてより広い吸収体領域を有する側が前側となり、女性の場合にはその反対となる）においては、図４に示すように各性別毎の前後表記を付すのが望ましく、性別間で色合いを異ならしめるのも望ましい。またもちろん、本発明においては、図６に示すように方向指示マークを省略したり、矢印マークに代わる方向指示マーク、例えば図４の矢印マークの先端側にある山形マーク１０Ｃや三角形マーク等を付したりすることも可能である。さらにこれらの図示例では、複数の前後表記１０，１０…を付しているが、基本的に本発明においては前後表記の数には特に限定されない。
【００２６】
他方、図７及び図８に示すように、本発明においても前述の従来例と同様に、ズレ止め粘着材層からなる前後表記１０の上に剥離シート６１を積層することが可能である。このズレ止め粘着材層からなる前後表記１０および剥離シート６１は、図示のように縦方向一端から他端まで連続するように設けるほか、製品の縦方向に間隔をおいて複数設けることもできる。この場合、剥離シート６１として透明または半透明の材料を用いることにより、粘着材層からなる前後表記１０，１０…が剥離シート６１を介して外部から視認できるように構成することができる。また図９に示すように剥離シート６１にも前後表記１１を印刷等により形成することもでき、この場合の剥離シート６１としては、透明または半透明の材料を用いることもできるが、不透明な材料を用い、外装シート２に付した前後表記１０が剥離シート６１を介して外部から視認できないように構成することもできる。ただし、剥離シート６１は使用時には剥離されてしまうため、いずれにせよ、ズレ止め粘着材層により前後表記１０，１０…を形成しておくことが重要である。
【００２７】
（第２の形態）
第２の形態は、ズレ止め手段として、カバー手段自体または対応する要素に対して係合する係合要素を用いるとともに、この係合要素に前後表記を付したものである。図１０は、この具体例を示しており、前後表記１０を付したフック要素７０を、外装シートたる不透液性バックシート２の外面に接着固定している。
【００２８】
本発明に好適な係合構造を図１１に概略的に示す。フック要素７０は、基材シート７０ａと、この基材シート７０ａ上に固設されたピン状、フック状等の公知のフック形状を有する多数のフック片７０ｂとからなり、フック受け要素７１は基材シート７１ａと、この基材シート７１ａ上に固設された糸からなる多数のループ７１ｂとからなり、フック要素７０のフック片７０ａをフック受け要素７１のループ７１ｂに絡ませることで、両要素が係止される仕組みとなっている。かかるフック要素またはフック受け要素に本発明の前後表記を付す場合、図１２に示すように、基材シート７０ａ，７１ａの表面および裏面（吸収性物品側の面）の少なくとも一方に前後表記１０を印刷するのが望ましい。しかし、図示しないが、フック片またはループを含めて要素表面に塗料を塗布して前後表記を形成することもできる。また、基材シート７０ａ，７１ａの裏面に印刷する場合には、表面がわから視認可能なように基材シート７０ａ，７１ａを透明または半透明の材料で形成する。この場合、必要に応じてフック片７０ｂ，ループ７１ｂおよびループ糸も透明または半透明の材料で形成することができる。
【００２９】
なお、本形態においては、おむつカバー等のカバー手段に対応する要素を取り付けるか、あるいは吸収性物品側の要素としてフック要素を用い、カバー手段自体の内面素材をフック要素が係止可能な材料により形成することが必要である。フック要素が係止可能な材料としては、各種の繊維製品が考えられるが、使い捨て用途を考えると不織布が望ましい。また本発明においては、上記例のようなフック要素とループ要素との組み合わせに限られず、係合が可能なあらゆる形状・構造の組合せを採用することができ、例えばフック要素とフック要素との組合せ等を採用することもできる。
【００３０】
（その他）
（イ）第１の形態の粘着材層に代えて、フック要素とフック受け要素との係合により止着を行うメカニカル止着テープの少なくとも一方の要素をズレ止め手段として用いることもできる。具体的には、図示しないが吸収性物品側に取り付ける要素（フック要素またはフック受け要素）を前後表記の形状に形成し、必要に応じて着色し、物品外面の所定位置に固定する。
【００３１】
（ロ）ズレ止め手段として粘着材層を設ける場合、第１の形態だけでなく、第２の形態と同様に粘着材層に前後表記を付すこともできる。具体的には、図示しないが、透明、白色または外面と同色の粘着材層上に、前後表記（粘着せず止着に寄与しない）を塗料等により形成したり、前後表記の形状をしたシートを貼り付けたりすることができる。この場合、粘着材層における前後表記を付した部分は粘着機能を有しないが、他の部分は粘着機能を有するので、十分なズレ止めが可能である。
【００３２】
（折畳状態との関係）
本発明が対象とする吸収性物品は、一般にコンパクト化のために、３つ折り以上に小さく折り畳まれて包装される。この際、従来の製品では折り畳まれていると、前後表記の一部または全部が隠れてしまったり、上面または下面の一方側にしか前後表記がない状態となるものしかなかった。そのため、製品使用者は、折り畳まれた状態の製品を一見しただけでは、前後表記を完全に読み取れなかったり、前後表記が有る面を探したりする苦労があった。
【００３３】
そこで、図１３に（Ａ）三つ折り状態の第１の例、（Ｂ）三つ折り状態の第２の例、（Ｃ）四つ折り状態の第１の例、ならびに（Ｄ）四つ折り状態の第２の例を示すように、折り畳んだ状態で少なくとも上面２０１となる位置および下面２０２となる位置に少なくとも一つの完全な前後表記１０，１０がそれぞれ位置するように、ズレ止め手段からなる前後表記１０，１０…を設けることを推奨する。これにより、畳まれた状態で上面２０１となる位置および下面２０２となる位置に少なくとも一つの完全な前後表記１０，１０がそれぞれ位置するため、製品使用者は、折り畳まれた状態の製品を一見しただけでもその前後を容易に判別することができるようになる。
【００３４】
さらに図１３（Ｂ）に示す例では、折り畳み状態から使用状態に広げたときに現れる見開き面２０３には前後表記がなく、一見して前後表記を視認できない。よって更に好適には、図１３（Ａ）（Ｃ）及び（Ｄ）に示すように、折畳み状態から開いたときに現れる見開き面２０３にも少なくとも一つの完全な前後表記１０が位置するように構成するのが好ましい。これにより、折り畳み状態から使用状態に広げた際にも一見して前後表記１０を視認できるようになる。
【００３５】
さらに図示例のように、折り線部分２０４を跨ぐような前後表記がないようにすると、前後の判別に寄与しにくい表記の印刷を省略でき、使用者にとってはより見易くなる利点がもたらされ、製造者にとっては印刷コストの低減を図ることができる利点がもたらされる。
【００３６】
＜色に係る実験例＞
表１に示すように、前後表記の色とその周囲の部分の色との色差を変えながら、前後表記の見易さの官能評価（視認性・色の組合せ・清涼感・落ち着き感・総合評価）を５０人で行った。官能評価は、各評価項目に関して最良と感じる色の組合せを各人が選ぶようにして行った。また表２に評価結果を示した。評価結果は選択人数により示した。
【００３７】
【表１】
2002325786.tif 000001
【００３８】
【表２】
2002325786.tif 000002
【００３９】
（考察）色差ΔＥ*ａｂが１００以上となる実施例４及び５では、同系色でないために視認性が良いと感じた人が多い。しかし、実施例４は黒白の組合せであるため、また実施例５は前後表記に鮮明な赤を用いたため、清涼感や落ち着き感が劣り、総合的な見易さに劣るという結果になった。さらに、茶系の色を組み合わせた実施例１、異系に近い同系色を組合せた実施例３についても、清涼感や落ち着き感が劣るために、総合評価が低くなった。
【００４０】
他方、実施例２および実施例６は、ともにＬ*ａ*ｂ*表色系でａ*＜０且つｂ*＜０の色、すなわち緑と青との間の色の組合せを採用したものであり、清涼感や落ち着き感等の評価が著しく高くなった。特に実施例２においては、色差ΔＥ*ａｂも前述の望ましい範囲にあるため視認性の評価も最も高くなった。一方、実施例６においては両色ともにＬ*値が高く（薄い色）かつ明暗差が少なかったために、視認性は劣る結果となった。
【００４１】
【発明の効果】
以上のとおり、本発明によれば、装着直前においても一見して前後が判別可能で、装着ミスを起こしにくい吸収性物品となる。
【図面の簡単な説明】
【図１】
本発明に係る尿パッド例の一部破断斜視図である。
【図２】
図１のII−II断面図である。
【図３】
図１のIII−III断面図である。
【図４】
第１の形態を示す外面図である。
【図５】
別の前後表記形態を示す外面図である。
【図６】
さらに別の前後表記形態を示す外面図である。
【図７】
剥離シートを有する例の外面図である。
【図８】
剥離シートを有する例の縦断面図である。
【図９】
剥離シートを有し、さらに剥離シートに前後表記を有する例の縦断面図である。
【図１０】
第２の形態を示す外面図である。
【図１１】
代表的なメカニカル止着テープの止着機構の概略図である。
【図１２】
前後表記を付した各種メカニカル止着テープを示す概略図である。
【図１３】
各種折畳み状態を示す側面図である。
【符号の説明】
１…透液性トップシート、２…不透液性バックシート（外装シート）、３…吸収体、１０…前後表記。
【手続補正２】
【補正対象書類名】図面
【補正対象項目名】図１１
【補正方法】変更
【補正の内容】
【図１１】
2002325786.tif 000003